(57)【特許請求の範囲】
【請求項１】
所定形状の結合部を有した電線の端子と端子とを接続する端子接続具であって、
前記端子の結合部に挿入されるネジ部と、当該ネジ部を絶縁する所定形状の第１の絶縁部とを有した接続体と、
前記接続体の前記ネジ部に係合されるナット部と、当該ナット部を絶縁する所定形状の第２の絶縁部とを有した被接続体と備え、
前記第１及び第２の絶縁部は、いずれか一方に、前記端子を収容する当該端子形状に対応した形状の凹部を有し、かつ、他方に当該凹部の開口部を塞ぐ蓋部を有し、
前記凹部の壁面には、前記電線の前記端子の所定部位を挿入するための切込部が少なくとも２箇所設けられた
ことを特徴とする端子接続具。
【請求項２】
前記第１及び第２の絶縁部は、Ｔ形状に形成される
ことを特徴とする請求項１に記載の端子接続具。
【請求項３】
前記第１及び第２の絶縁部のＴ形状の腕部は、前記ネジ部に前記ナット部が係合した状態で同じ方向を向くように構成された
ことを特徴とする請求項２に記載の端子接続具。
【発明の詳細な説明】
【技術分野】
【０００１】
本発明は、所定形状の結合部を有した電線の端子と端子とを接続する端子接続具に関する。詳しくは、接続体の絶縁部と被接続体の絶縁部が、いずれか一方に、端子を収容する凹部を有し、かつ、他方に当該凹部の開口部を塞ぐ蓋部を有することで、絶縁部の凹部に端子を収容した状態で当該端子同士を接続できるようにすると共に、端子の金属部を外部から絶縁できるようにするものである。
【背景技術】
【０００２】
従来、ケーブルの環状やＹ形状の端子同士を接続するとき、ネジを当該端子の例えば環状部に挿入し、その後にナットをネジに螺合することにより、ケーブルの端子同士を接続して固定する場合が多い。例えば、図６は、従来例に係るケーブル１０とケーブル１１の接続例を示す斜視図である。これらのケーブル１０、１１を接続する場合、先ず、図６に示すナット３１を六角レンチで固定し、ケーブル１０の端子１０ａとケーブル１１の端子１１ａに、ネジ３０を挿入してドライバーで当該ネジ３０を締め付ける。
【０００３】
このような従来例に関連して特許文献１には、電気ケーブル接続具が開示されている。この接続具によれば、重ね合わせた挟持部により端子を挟み込み、その後、挟持片の先端部に形成されている締結部をネジにより締結するものである。これにより、締結部が端子から離れているので、端子がネジ止め作業の邪魔になることを避けることができる。
【０００４】
【特許文献１】特開平５−３２６０４１号公報（第３頁、第５図）
【発明の開示】
【発明が解決しようとする課題】
【０００５】
しかしながら、従来例に係るネジ及びナットの接続方法では、ナットを六角レンチで固定した状態で、ネジをドライバーにより締め付けるので、作業状態が不安定になり作業性が悪かった。また、工具であるドライバーや六角レンチの作用部が導電性であるため、漏電、感電に注意を払いながら作業を進める必要があった。また、ネジ及びナットにより端子を接続後、当該ネジ及びナットを絶縁するために、ビニールテープなどを使用してネジ及びナットを絶縁する手間が必要であった。
【０００６】
また、従来例に係る特許文献１に記載の電気ケーブル接続具は、端子がネジ止め作業に邪魔ならないようにできても、端子を挟んだ導電性の挟持部が露出しており、漏電、感電に注意を払いながら作業を進める必要がある。
【０００７】
そこで、本発明はこのような従来例に係る課題を解決したものであって、工具を用いないで電線の端子を接続できるようにすると共に、手間を掛けずに電線の端子を外部から絶縁できるようにした端子接続具を提供することを目的とする。
【課題を解決するための手段】
【０００８】
上述した課題を解決するために本発明に係る端子接続具は、所定形状の結合部を有した電線の端子と端子とを接続する端子接続具であって、前記端子の結合部に挿入されるネジ部と、当該ネジ部を絶縁する所定形状の第１の絶縁部とを有した接続体と、前記接続体の前記ネジ部に係合されるナット部と、当該ナット部を絶縁する所定形状の第２の絶縁部とを有した被接続体と備え、前記第１及び第２の絶縁部は、いずれか一方に、前記端子を収容する当該端子形状に対応した形状の凹部を有し、かつ、他方に当該凹部の開口部を塞ぐ蓋部を有し、前記凹部の壁面には、前記電線の前記端子の所定部位を挿入するための切込部が少なくとも２箇所設けられたことを特徴とするものである。
【０００９】
本発明に係る端子接続具によれば、接続された電線の端子を絶縁部の凹部に収容し、当該凹部の開口部を絶縁部の蓋部により塞ぐ。これにより、端子を絶縁部で覆うことができるので、端子の金属部を外部から絶縁することができる。
【発明の効果】
【００１０】
本発明に係る端子接続具によれば、所定形状の結合部を有した電線の端子と端子とを接続する場合であって、接続体の絶縁部と被接続体の絶縁部は、いずれか一方に、端子を収容する凹部を有し、かつ、他方に当該凹部の開口部を塞ぐ蓋部を有するものである。
【００１１】
この構成によって、絶縁部の凹部に端子を収容し、当該凹部の開口部を蓋部により塞いだ状態で端子同士を接続できるようになる。これにより、電線の端子を絶縁部で覆うことができるので、端子の金属部を外部から絶縁することができる。従って、感電を防止できる共にビニールテープなどによる絶縁作業を省くことができるようになる。また、絶縁部を有しているのでドライバーなどの工具を用いずに電線の端子を接続できるようになる。
【発明を実施するための最良の形態】
【００１２】
続いて、本発明に係る端子接続具について図面を参照しながら説明をする。図１は、本発明に係る端子接続具１００の構成例（その１）を示す斜視図である。図１に示す端子接続具１００は、環状やＹ形状の結合部を有した電線（ケーブル）の端子と端子とを接続するものである。
【００１３】
この端子接続具１００は、取っ手付きのネジ本体１、取っ手付きのナット本体２及びスプリングワッシャ７を有して構成される。このネジ本体１は接続体の一例を構成し、スプリングワッシャ７を介してナット本体２に螺合されて係合される。
【００１４】
ネジ本体１は、Ｔ形状の絶縁部（取っ手）３及びネジ４を備える。このＴ形状の絶縁部３は、腕部３ａと胴体部３ｂから構成され、導電部であるネジ４を絶縁する。胴体部３ｂの先端には、蓋部３ｃが設けられている。この蓋部３ｃは、以下に示すナット本体２の凹部５ｃの開口部５ｄの径と略同径に形成され、当該開口部５ｄを塞ぐ。絶縁部３は、樹脂射出成形により製造される。
【００１５】
ネジ４は導電部の一例を構成し、絶縁部３の胴体部３ｂの先端に取り付けられている。このネジ４は図３Ａに示すケーブル１０の端子１０ａなどの環状結合部に挿入される。取っ手付きのネジ本体１は、このように構成されている。
【００１６】
取っ手付きのナット本体２は被接続体の一例を構成し、Ｔ形状の絶縁部（取っ手）５及びナット６を備える。このＴ形状の絶縁部５は、腕部５ａと胴体部５ｂから構成され、導電部であるナット６を絶縁する。胴体部５ｂの先端には、端子１０ａ、１１ａ（図３Ａ参照）を収容する凹部５ｃが設けられている。このナット本体２の凹部５ｃの形状は円筒形状である。この円筒形状の凹部５ｃの壁面には、スリット６ａが２箇所ほど対峙して設けられている。このスリット６ａの各々には、ケーブル１０、１１の端子１０ａ、１１ａの付根部分が挿入される。絶縁部５の凹部５ｃの開口部５ｄは、ネジ本体１の蓋部３ｃにより塞がれる。絶縁部５は、樹脂射出成形により製造される。
【００１７】
ナット６は係合部の一例を構成し、ネジ本体１のネジ４に係合（螺合）される。このナット６は、ナット本体２の凹部５ｃの底面に取り付けられている。
【００１８】
このように、端子接続具１００を構成することによって、絶縁部５の凹部５ｃに端子１０ａ、１１ａを収容した状態で、端子同士を接続できるようになる。これにより、ケーブル１０、１１の端子１０ａ、１１ａを絶縁部５の凹部５ｃと絶縁部３の蓋部３ｃで覆うことができるので、端子１０ａ、１１ａを外部から絶縁することができる。従って、感電を防止できる共にビニールテープなどによる絶縁作業を省くことができるようになる。
【００１９】
図２Ａ〜Ｃは、端子接続具１００の構成例（その２）を示す説明図である。図２Ａ〜Ｃは、ネジ本体１をナット本体２に螺合した状態である。図２Ａに示す端子接続具１００は正面図であり、この螺合した状態で、Ｔ形状の絶縁部３の腕部３ａと、絶縁部５の腕部５ａとが同じ方向を向く（重なる）ように設計されている。これにより、無理にネジ本体１をナット本体２に締め付け過ぎることを防ぐことができる。
【００２０】
図２Ｂに示す端子接続具１００は、図２Ａに示した端子接続具１００を上面から見た図である。ネジ本体１をナット本体２に螺合した状態で、絶縁部３の腕部３ａと、絶縁部５の腕部５ａとが重なっている。
【００２１】
図２Ｃに示す端子接続具１００は、図２ＢのＸ−Ｘ矢視断面図である。ナット本体２の胴体部５ｂには、ナット６が取り付けられている。このナット６には、２個のスプリングワッシャ７を介してネジ４が螺合されている。スプリングワッシャ７は、ナット本体２の凹部５ｃに収容され、凹部５ｃの３分の２程度の領域を占めている。
【００２２】
続いて、端子接続具１００の使用例を説明する。図３Ａ〜Ｃは、端子接続具１００の使用例を示す斜視図である。この例で、ケーブル１０の端子１０ａとケーブル１１の端子１１ａとを接続する。先ず、図３Ａに示すナット本体２の凹部５ｃの底面にスプリングワッシャ７を１個設置する。次に、ナット本体２のスリット６ａにケーブル１０の端子１０ａの付根部分を挿入する。同様に、ナット本体２のスリット６ａにケーブル１１の端子１１ａの付根部分を挿入する。これにより、図３Ｂに示すように、ケーブル１０、１１の各端子がナット本体２の凹部５ｃに収容される。
【００２３】
その後、図３Ｂに示すスプリングワッシャ７をケーブル１１の端子１１ａの上に設置する。設置後、スプリングワッシャ７、端子１１ａ、１０ａ及びスプリングワッシャ７の各貫通部にネジ本体１のネジ４を挿入する。挿入後、ネジ本体１の腕部３ａ及びナット本体２の腕部５ａを掴んで所定方向に回転させて、ネジ本体１のネジ４をナット本体２のナット６に螺合する。
【００２４】
これにより、図３Ｃに示すように、ケーブル１０の端子１０ａ及びケーブル１１の端子１１ａを、ナット本体２の凹部５ｃとネジ本体１の蓋部３ｃで覆うことができるので、端子１０ａ、１１ａの金属部を外部から絶縁することができる。従って、感電を防止できる共にビニールテープなどによる絶縁作業を省くことができる。また、絶縁部３、５を有しているので、端子１０ａ、１１ａに触れることなく接続作業を行うことができる。
【００２５】
図４Ａ及びＢは、端子接続具１００の使用後の状態例を示す説明図である。図４Ａに示す端子接続具１００は、図３Ｃに示した端子接続具１００を正面から見た図である。ナット本体２の絶縁部５の胴体部５ｂの一方のスリット６ａからは、ケーブル１０の線引出し部１１ｃから外部に露出されている。また、この胴体部５ｂの他方のスリット６ａからは、ケーブル１１の線引出し部１１ｃから外部に露出されている。
【００２６】
図４Ｂは、図４Ａの端子接続具１００におけるＸ−Ｘ矢視（図２Ｂ参照）断面図である。図４Ｂに示すナット本体２の絶縁部５の凹部５ｃには、ネジ本体１のネジ４に挿入された端子１０ａ、１１ａが、上下のスプリングワッシャ７に挟まれて収容されている。このとき、ネジ本体１の蓋部３ｃにより、ナット本体２の凹部５ｃの開口部５ｄが塞がれている。これにより、端子１０ａ、１１ａを外部から絶縁することができる。
【００２７】
続いて、端子接続具１００の応用例を説明する。この例で、新旧ＴＣ盤を取り替える場合を例にとって説明する。図５Ａ及びＢは、ＴＣ盤２０及び受電盤２２の接続例を示す説明図である。図５Ａに示すＴＣ盤２０の表示電源ＰＳには、受電盤２２の表示電源ＰＳが接続されている。受電盤２２の表示電源ＰＳには、スイッチ８Ｃを介して故障表示するための表示電源ＰＳ１が接続されている。また、受電盤２２の表示電源ＰＳには、送電線１Ｌ機器表示するための表示電源ＰＳ２が接続され、送電線２Ｌ機器表示するための表示電源ＰＳ３が接続されている。また、受電盤２２の表示電源ＰＳには、ＮＯ．１Ｂ関係機器表示のための表示電源ＰＳ４が接続され、ＮＯ．２Ｂ関係機器表示のための表示電源ＰＳ５が接続されている。
【００２８】
このような接続関係において、従来のＴＣ盤２０を新しいＴＣ盤２１に取り替える場合併用運転期間が生じ、異なる電源電圧が混在することを防止する必要がある。このため、図５Ｂに示すように、位置ｙ１〜位置ｙ６に係る接続を切り離すと共に、仮端子台２３を設けてＴＣ盤２０の表示電源ＰＳをこの仮端子台２３に接続する。接続後、仮端子台２３の表示電源ＰＳ１〜ＰＳ５と受電盤２２の表示電源ＰＳ１〜ＰＳ５とを接続する。
【００２９】
このとき、仮端子台２３と受電盤２２との距離が離れている場合、ケーブル同士を接続する。この場合に、端子接続具１００を使用して当該ケーブル同士を接続する。例えば、仮端子台２３の表示電源ＰＳ１から引き出されたケーブル１０の端子１０ａと、受電盤２２から引き出されたケーブル１１の端子１１ａとを、図３に示したように端子接続具１００により接続する。これにより、電圧がかかった状態でも端子接続具１００におけるネジ本体１の絶縁部３とナット本体２の絶縁部５により、安全に接続できる。
【００３０】
このように、本発明に係る端子接続具１００によれば、ケーブル１０の端子１０ａとケーブル１１の端子１１ａとを接続する場合であって、ナット本体２の絶縁部５は、端子１０ａ、１１ａを収容する凹部５ｃを有し、かつ、ネジ本体１の絶縁部３は、当該凹部５ｃの開口部５ｄを塞ぐ蓋部３ｃを有するものである。
【００３１】
従って、絶縁部５の凹部５ｃに端子１０ａ、１１ａを収容し、絶縁部３の蓋部３ｃにより凹部５ｃを塞いだ状態で端子同士を接続できるようになる。これにより、ケーブル１０、１１の各端子を絶縁部３、５で覆うことができるので、端子１０ａ、１１ａの金属部を外部から絶縁することができる。従って、感電を防止できる共にビニールテープなどによる絶縁作業を省くことができるようになる。また、取っ手として機能する絶縁部３、５を有しているのでドライバーなどの工具を用いずに締め付けて、ケーブル１０、１１の端子１０ａ、１１ａを接続できるようになる。
【産業上の利用可能性】
【００３２】
所定形状の結合部を有した電線の端子と端子とを接続する端子接続具に適用して好適である。
【図面の簡単な説明】
【００３３】
【図１】本発明に係る端子接続具１００の構成例（その１）を示す斜視図である。
【図２】（Ａ）〜（Ｃ）は、端子接続具１００の構成例（その２）を示す説明図である。
【図３】（Ａ）〜（Ｃ）は、端子接続具１００の使用例を示す斜視図である。
【図４】（Ａ）及び（Ｂ）は、端子接続具１００の使用後の状態例を示す説明図である。
【図５】（Ａ）及び（Ｂ）は、ＴＣ盤２０及び受電盤２２の接続例を示す説明図である。
【図６】従来例に係るケーブル１０とケーブル１１の接続例を示す斜視図である。
【符号の説明】
【００３４】
１  ネジ本体（接続体）
２  ナット本体（被接続体）
３  絶縁部（第１の絶縁部）
３ｃ  蓋部
４  ネジ（導電部）
５  絶縁部（第２の絶縁部）
５ｃ  凹部
６  ナット（係合部）
６ａ  スリット（切込部）
１０、１１  ケーブル（電線）
１０ａ、１１ａ  端子
１００  端子接続具
【図１】
0005111151.tif 000002
【図２】
0005111151.tif 000003
【図３】
0005111151.tif 000004
【図４】
0005111151.tif 000005
【図５】
0005111151.tif 000006
【図６】
0005111151.tif 000007